(57)【要約】【課題】扉体のロック機構の構成要素を共用して、扉体の開閉機構をも構成するようにして、隣接する筐体等に邪魔されずフロントパネル部の開閉を可能とすると共に電子機器の表示部や操作部等の設置スペースを犠牲にしないようにした。【解決手段】筐体１の前面部２に、表示部或いは操作部等を設置するフロントパネル部３を設け、フロントパネル部３を開閉する扉体４を有して構成する場合、前記フロントパネル部の一側端部にヒンジ機構を介して前記扉体を揺動可能に設けると共に、フロントパネル部３の一側端３ａに対向する他側端部３ｂ側において、扉体４を、フロントパネル部３の開閉を行うべく揺動させる扉開閉操作手段６を設置し、扉開閉操作手段６が扉体４の開閉動を施錠するシリンダーキー装置７を構成するキー片７ａの回動操作による扉体４の解・施錠に伴って、開閉動操作を行うように構成した。【選択図】図４
2008235671.tif 000002
【特許請求の範囲】
【請求項１】
電子機器を収容する筐体の前面部に、前記電子機器の表示部或いは操作部等を設置するフロントパネル部を設けると共に、該フロントパネル部を開閉する扉体を有して構成する電子機器筐体構造であって、前記フロントパネル部の一側端部にヒンジ機構を介して前記扉体を揺動可能に設けると共に、前記フロントパネル部の一側端部に対向する他側端部側において、前記扉体を前記フロントパネル部の開閉を行うべく前記筐体に対して揺動させる扉開閉操作手段を設置し、該扉開閉操作手段が前記扉体の開閉動を施錠するロック機構を構成するキー片の回動操作による前記扉体の解・施錠に伴って、該扉体の開閉動操作を行うように構成したことを特徴とする電子機器筐体構造。
【請求項２】
前記扉開閉操作手段は、前記ロック機構に前記キー片の回動操作に追従して揺動するように装着したキープレートと、前記扉体側に固着されて前記キープレートをその揺動に従い摺動させることにより前記扉体を開方向又は閉方向に揺動させるカム機構とを有して構成し、前記キープレートを前記カム機構との摺動関係を離脱させることによって、前記ロック機構が解錠されるように構成したことを特徴とする請求項１に記載の電子機器筐体構造。
【請求項３】
前記カム機構は、互いに離間対向する一対のカム片を有して構成し、一方のカム片には、前記キープレートを摺動させることによって前記扉体を前記フロントパネル部を開口する方向に揺動させるように形成されたカム面を有し、他方のカム片には、前記キープレートを摺動させることによって前記扉体を前記フロントパネル部を閉塞する方向に揺動させるように形成されたカム面を有するように構成したことを特徴とする請求項２に記載の電子機器筐体構造。
【請求項４】
前記ヒンジ機構は、前記扉体の一側端側に設けられた一対のヒンジレバー脚片と、該両ヒンジレバー脚片の他端側をヒンジピンを介して揺動可能に枢着するように前記筐体側に固着されたヒンジベースとを有して構成しており、該ヒンジベースには、前記一対のヒンジレバー片のうち少なくとも一方のヒンジレバー片が嵌合して揺動動作をガイドするガイド溝を形成したことを特徴とする請求項１乃至請求項３のいずれか一に記載の電子機器筐体構造。
【発明の詳細な説明】
【技術分野】
【０００１】
本発明は、ゲートウエイなど通信機器等を構成する電子機器を収容するための電子機器筐体構造に関する。
【背景技術】
【０００２】
従来、電子機器筐体構造を構成する筐体の前面部には、筐体内に収容された電子機器の表示部や操作部等を設置するためのフロントパネル部が設置されており、そして、該フロントパネル部は、前記表示部や操作部等を保護するために、扉体により閉塞するように構成され、当該扉体は施錠装置により前記筐体に対して施錠されるように構成している（特許文献１参照）。
【特許文献１】特開平１１−３１２８７５号公報。
【０００３】
このような従来の電子機器筐体構造によれば、前記扉体は、シリンダーキー装置等のロック機構を用いて、筐体に対して施錠されるように構成するほか、解錠された扉体を開閉動させるために、扉体に設置したハンドル機構や扉体を閉状態から更に筐体内側にスプリングの付勢力に抗して押し込むことによって扉体の開閉動をさせる開閉機構をロック機構とは別に有して構成されている。
【発明の開示】
【発明が解決しようとする課題】
【０００４】
したがって、上記のように構成する電子機器構造において、通信システム等においては、単独で使用される場合のほか、設置ラック筐体に複数個積み重ねられた状態で使用することにより、一単位の電子機器筐体自体は小型化することにより設置面積の省スペース化或いはコストダウンを図ると共に、当該機器を使用する通信システムの規模等により使用個数を選択できるように意図されている。
【０００５】
かかる事情の下では、複数の筐体が積み重ねられて使用される結果、例えば、筐体の上面部や左右側面部は隣接する他の装置によって塞がれることになる。
【０００６】
この結果、筐体の前面部に設けた扉体が、ロック機構とは別に設けたハンドル機構や扉体を筐体内側に押し込むことによる開閉機構によって、開閉動させるように構成された場合、隣接する筐体等に邪魔されて、開閉動することが困難になる場合があり、また、ロック機構とハンドル機構或いは開閉機構とが別構成になっているために、フロントパネル部に本来設置すべき電子機器の表示部や操作部等の設置スペースに影響を及ぼしてしまうことがある。
【０００７】
そこで、本発明は、かかる点に鑑み、扉体のロック機構の構成要素を共用して、扉体の開閉機構をも構成するようにして、隣接する筐体等に邪魔されずフロントパネル部の開閉を可能とすると共に電子機器の表示部や操作部等の設置スペースを犠牲にしないように構成した電子機器筐体構造を提供することを目的とするものである。
【課題を解決するための手段】
【０００８】
本発明の電子機器筐体構造は、電子機器を収容する筐体の前面部に、前記電子機器の表示部或いは操作部等を設置するフロントパネル部を設けると共に、該フロントパネル部を開閉する扉体を有して構成する電子機器筐体構造であって、前記フロントパネル部の一側端部にヒンジ機構を介して前記扉体を揺動可能に設けると共に、前記フロントパネル部の一側端部に対向する他側端部側において、前記扉体を前記フロントパネル部の開閉を行うべく前記筐体に対して揺動させる扉開閉操作手段を設置し、該扉開閉操作手段が前記扉体の開閉動を施錠するロック機構を構成するキー片の回動操作による前記扉体の解・施錠に伴って、該扉体の開閉動操作を行うように構成したことを特徴とするものである。
【０００９】
かかる構成により、扉体が、ロック機構を構成するキー片の回動操作により扉体の解・施錠を行うと共に開閉動操作を行うことができるために、ハンドル機構やスプリング機構等を用いずとも、扉体の開閉動操作がロック機構の操作だけで可能となって、隣接する筐体等に邪魔されることなくフロントパネル部の開閉を行うことができ、しかも、電子機器の表示部や操作部等のフロントパネル部への設置スペースを有効利用することができる。
【００１０】
また、本発明における前記扉開閉操作手段は、前記扉開閉操作手段は、前記ロック機構に前記キー片の回動操作に追従して揺動するように装着したキープレートと、前記扉体側に固着されて前記キープレートをその揺動に従い摺動させることにより前記扉体を開方向又は閉方向に揺動させるカム機構とを有して構成し、前記キープレートを前記カム機構との摺動関係を離脱させることによって、前記ロック機構が解錠されるように構成するようにしてもよい。
【００１１】
かかる構成により、キー片の回動操作によりキープレートを揺動させ、その揺動に従いキープレートをカム機構に摺動させることによって、扉体を開方向又は閉方向に揺動させ、フロントパネル部の開閉を行うことができ、キー片の回動操作のみにより、扉体の解・施錠及び開閉動操作を同時に可能にすることができる。
【００１２】
また、本発明における前記カム機構は、互いに離間対向する一対のカム片を有して構成し、一方のカム片には、前記キープレートを摺動させることによって前記扉体を前記フロントパネル部を開口する方向に揺動させるように形成されたカム面を有し、他方のカム片には、前記キープレートを摺動させることによって前記扉体を前記フロントパネル部を閉塞する方向に揺動させるように形成されたカム面を有するように構成してもよい。
【００１３】
かかる構成により、キープレートは、一方のカム片のカム面を摺動することにより扉体を開動させることができると共に、他方のカム片のカム面を摺動することにより扉体を閉動させ、両カム片に対して摺接状態を離脱することによって、ロック機構が解錠されるように構成されていることから、キー片の開動操作のみで、扉体の開閉動ならびに解・施錠を同時に行うことができる。
【００１４】
また、本発明におけるヒンジ機構は、前記扉体の一側端側に設けられた一対のヒンジレバー脚片と、該両ヒンジレバー脚片の他端側をヒンジピンを介して揺動可能に枢着するように前記筐体側に固着されたヒンジベースとを有して構成しており、該ヒンジベースには、前記一対のヒンジレバー片のうち少なくとも一方のヒンジレバー片が嵌合して揺動動作をガイドするガイド溝を形成してもよい。
【００１５】
かかる構成により、扉体は、ヒンジレバー脚片が一方のヒンジベースのガイド溝内を嵌合した状態で開閉動動作を行うことになって、扉体に発生するモーメントによる扉体の開閉中の揺れを抑えることができ、安定した状態で開閉動を行うことができる。
【発明の効果】
【００１６】
本発明の電子機器筐体構造によれば、扉体が、ロック機構を構成するキー片の回動操作により扉体の解・施錠を行うと共に開閉動操作を行うことができるために、ハンドル機構やスプリング機構等を用いずとも、扉体の開閉動操作がロック機構の操作だけで可能となって、隣接する筐体等に邪魔されることなくフロントパネル部の開閉を行うことができ、しかも、電子機器の表示部や操作部等のフロントパネル部への設置スペースを有効利用することができる。
【発明を実施するための最良の形態】
【００１７】
本発明の実施の形態を、図面を参照して詳述する。
【００１８】
まず、図１において、不図示の電子機器を収容する複数の筐体１は、ラック１０を用いて、縦列に互いに重ねられた状態で使用されるようになっている。
【００１９】
このために、筐体１は、いずれもボックス形状を呈して、その前面部２の両側部に取付けフランジ部２ａを設置して、取付けフランジ２ａをラック１０を構成する一対の縦桁１０ａ、１０ａに装着したブラケット１０ｂ、１０ｂにそれぞれねじ止めすることによって、ラック１０に懸架されている。
【００２０】
筐体１は、図２に示すように、いずれも、前面部２に電子機器の表示部或いは操作部等を設置するために凹状に形成されたフロントパネル部３が設置されており、フロントパネル部３は、その前面が扉体４により開閉されるように構成されている。
【００２１】
したがって、扉体４は、フロントパネル部３の一側端部３ａに、図４に示すように、ヒンジ機構５を介して筐体１に揺動可能に設置されている。
【００２２】
ヒンジ機構５は、図５に示すように、筐体１側に固着されたガイドプレート１ａの一端側に突出形成された上下一対のヒンジレバー脚片５ａ、５ｂと、ヒンジレバー脚片５ａ、５ｂの他端側を、両端部をビス５ｃ−１により螺着された１本のヒンジピン５ｃを介して揺動可能に枢着するように筐体１側に設けられたヒンジベース５ｄとを有して構成している。
【００２３】
ガイドプレート１ａの上下端に、外方に突出するようなガイド片部１ａ−１，１ａ−２を形成して、扉体４の開閉動のガイドを行っており、また、ヒンジベース５ｄは、張出し形成したブラケット部５ｄ−２を不図示のビス等を使用して取着することによって、筐体１の前面部２に固着されている。
【００２４】
ヒンジベース５ｄには、ヒンジレバー脚片５ａ、５ｂが嵌合して揺動動作をガイドするガイド溝５ｄ-１が形成されている。
【００２５】
なお、他方のヒンジレバー脚片５ｂは、ガイド溝５ｄ−１を形成せずに、ヒンジベース５ｄの下端面を摺動することによってガイドされるように構成してもよい。
【００２６】
フロントパネル部３の一側端部３ａに対向する他側端部３ｂには、図４乃至図７に示すように、扉体４を、フロントパネル部３の開閉を行うべく揺動させる扉開閉操作手段６を設置し、扉開閉操作手段６は扉体４の開閉動を施錠するロック機構としてのシリンダーキー装置７を備えて構成している。
【００２７】
扉開閉操作手段６は、シリンダーキー装置７を構成するキー片７ａの回動操作に追従して回動するように、シリンダー７ｂに図７に示すように装着されたキープレート６ａと、扉体４側に固着されてキープレート６ａがその回動に従い摺動することにより扉体４を開方向又は閉方向に揺動させるカム機構６ｂとを有して構成している（図６参照）。
【００２８】
カム機構６ｂは、互いに離間対向する一対のカム片６ｂ-１、６ｂ-２を有して構成している。
【００２９】
一方のカム片６ｂ-１には、図５に示すように、キープレート６ａを摺動させることによって扉体４をフロントパネル部３に対して開方向に回動させる傾斜面により構成するカム面部６ｂ-１ａが形成されており、他方のカム片６ｂ-２には、キープレート６ａを摺動させることによって扉体４をフロントパネル部３に対して閉方向に回動させる傾斜面により構成するカム面部６ｂ-２ａが形成されている。カム面部６ｂ−２ａの上下端部は、互いに同一方向に屈曲形成され、食い付き傾斜面６ｂ−２ｃ、６ｂ−２ｄを構成している。
【００３０】
そして、キープレート６ａは、両カム片６ｂ−１、６ｂ-２に対してキープレート６ａの摺接状態を離脱させた際に、シリンダーキー装置７の施錠状態を解錠するように構成されて、両カム片６ｂ-１及び６ｂ-２とが形成するスリット状隙間６ｂ-３内を移動していくように構成されている（図６参照）。
【００３１】
一方のカム片６ｂ-１は、図５に示すように、カム面部６ｂ-１ａと一体に形成されて扉体４に装着される取付片部６ｂ-１ｂを有し、他方のカム片６ｂ-２は、やはりカム面部６ｂ-２ａと一体に形成された取付けベース部６ｂ-２ｂを有して構成している。
【００３２】
キープレート６ａは、図８に示すように、両カム面部６ｂ-１ａ及び６ｂ-２ａを摺動する摺動片部６а-１と、摺動片部６а-１と一体に形成された屈曲状の取付けブラケット部６ａ-２とを有して構成しており、摺動片部６ａ−１の下端部が、シリンダー装置７側に屈曲された屈曲部６ａ−１ａに形成されている。
【００３３】
シリンダーキー装置７は、図８及び図９に示すように、キー片７ａと、キー片７ａを挿入するキー穴７ｄが形成され、キー片７ａの回動により回転するキー軸７ｅを有するシリンダー７ｂとを有して構成されている。キー軸７ｅの突出端には、取付けブラケット６ａ−２に形成した取付け孔６ａ−２ａを挿通し、キー軸７ｅに螺着した一対のナット７ｃを用い座金７ｄを介在させた状態で、キープレート６ａをシリンダー７ｂに挟着している。この結果、キープレート６ａは、シリンダー７ｂに挿入されたキー片７ａの回動により、揺動可能に構成されることになる。
【００３４】
次に、扉開閉操作手段６並びにこれに関連したシリンダーキー装置７の作動について説明する。
【００３５】
先ず、扉体４は、図２に示すように、フロントパネル部３を閉塞した状態では、シリンダーキー装置７においては、図１２（イ）に示すように、キープレート６ａが他方のカム片６ｂ−２に重合した状態にあり、他方のカム片６ｂ−２に係合することにより、施錠状態に保持されている。この際、キー穴７ｄにキー片７ａを挿入した際には、シリンダー７ｂに対して水平状態を保持するようになっている（図１０の状態参照）。
【００３６】
かかる状態より、キー片７ａを時計方向に回動させると、図１２（イ）から（ロ）に示す状態に至る間に、キー片７ａが、図１１に示すように、シリンダー７ｂに対して垂直方向に移行して行き、キープレート６ａの屈曲部６ａ−１ａの一側面がカム機構６ｂを構成するカム片６ｂ−１のカム面部６ｄ−１ａを摺動しながら、ヒンジ機構５を介して、扉体４が筐体１の外方に開動して行く。この時、キー片７ａが、図１１に示すように、シリンダー７ｂに対して垂直方向に移行しており（キー片７ａは、前記図１０に示す水平状態を０度として場合、図１１に示す状態では、９０度回転したことになる）、図１２（ハ）に示すように、キープレート６ａは、スリット状隙間６ｂ−３から離脱することになり、扉体４を半開き状態になることになる（図３に示す状態）。
【００３７】
このように図３に示す状態においては、扉体４は、キープレート６ａとカム機構６ｂとの施錠関係が離脱して解錠状態となり、既に操作者の手等により操作可能なまでに開動していることになって、操作者の手動により更に回動させることができ、図４に示すように、全開状態にすることができ、フロントパネル部３を開放することができる。
【００３８】
このような扉体４の開放状態より、再び、扉体４によりフロントパネル部３を閉塞するには、扉体４を図４に示す状態から図３に示す状態に手動操作にて揺動させておき、図１２（ニ）に示す状態から、キー片７ａを図１１に示す９０度回動状態から反時計方向に回動させて再び図１０に示す状態にすることによって、図１２（ホ）に示すように、再びキープレート６ａがスリット状隙間６ｂ−３内に侵入して、今度はキープレート６ａは、カム片６ｂ−２のカム面部６ｂ−２ａ側に摺接することになり、更に、キー片７ａの反時計方向への回動によって、カム片６ｂ−２のカム面部６ｂ−２ａを摺動して扉体４の閉方向に揺動させ、更に、キー片７ａがシリンダー７ｂに対して、再び水平方向にまで復帰した状態において、図１２（イ）に示すように、キープレート６ａがカム片６ｂ−２のカム面部６ｂ−２ａに重なり合って、扉体４は、全閉状態となり、キープレート６ａが、スリット状隙間６ｂ−３内に侵入した状態で、カム片６ｂ−１及びカム片６ｂ−２に係合することになって、施錠状態に復帰することになる。
【００３９】
以上のように構成することにより、扉体４が、シリンダーキー装置７を構成するキー片７ａの回動操作により扉体４の解・施錠を行うと共に開閉動操作を行うことができるために、ハンドル機構やスプリング機構等を特に用いずとも、扉体４の開閉動操作がシリンダーキー装置７を操作するだけで可能となって、隣接する筐体１等に邪魔されることなくフロントパネル部３の開閉を行うことができ、しかも、電子機器の表示部や操作部等のフロントパネル部３への設置スペースを有効利用することができる。
【００４０】
そして、上記するように、扉体４の解・施錠並びに開閉動作を行う過程において、扉体４は、ヒンジレバー脚片５ａ、５ｂがヒンジピン５ｃを介して筐体１に対して揺動することによって、開閉動することになるのであるが、この際、一方のヒンジレバー脚片５ａがヒンジベース５ｄに形成したガイド溝内５ａ−１内を嵌合した状態で摺動することによって開閉動動作を行うことになって、扉体４に発生するモーメントによる扉体４の開閉中の揺れを抑えることができ、安定した状態で開閉動を行うことができる。
【００４１】
なお、上記実施の形態においては、スリット状隙間６ｂ−３は、互いに離間するように設置された一対のカム片６ｂ−１及び６ｂ−２によって形成するようにしたが、これに限定されるものではなく、例えば、板体にカム溝を刻設することによって構成するようにしてもよい。
【００４２】
また、扉体４は、不図示の線状スプリング等を用いて、閉方向に付勢するように構成してもよい。
【産業上の利用可能性】
【００４３】
本発明は、扉体がロック機構を構成するキー片の回動操作により扉体の解・施錠を行うと共に開閉動操作を行うことができるために、ハンドル機構やスプリング機構等を用いずとも、扉体の開閉動操作がロック機構の操作だけで可能となって、隣接する筐体等に邪魔されることなくフロントパネル部の開閉を行うことができ、しかも、電子機器の表示部や操作部等のフロントパネル部への設置スペースを有効利用することができるため、ゲートウエイ等通信機器等の電子機器を収容するための電子機器筐体構造等に最適である。
【図面の簡単な説明】
【００４４】
【図１】本発明の実施の形態による電子機器筐体を複数個ラックに重ねて懸架した状態を描画した斜視図である。
【図２】図１における一の電子機器筐体において扉体がフロントパネルを閉塞した状態を描画した斜視図である。
【図３】同じく、シリンダーキー装置の解錠状態において扉体が操作者の手動操作にて回動可能な状態まで揺動させた際の斜視図である。
【図４】同じく、図３の状態から操作者が手動操作にて扉体を全開状態にして、フロントパネルを開放し際における電子機器筐体の前面部周辺のみを描画した斜視図である。
【図５】図１における扉体の分解斜視図である。
【図６】図１における筐体を透過した状態でカム機構周辺を拡大して描画した部分側面図である。
【図７】図１におけるシリンダーキー装置周辺を拡大して描画した斜視図である。
【図８】図７におけるシリンダーキー装置の分解斜視図である。
【図９】図８におけるキープレートおよびキー片を取外した状態を描画したシリンダーキー装置の斜視図である。
【図１０】図７におけるキープレート及びキー片を配設した状態における施錠状態を描画した斜視図である。
【図１１】同じく、キープレート及びキー片を配設した状態における解錠状態を描画した斜視図である。
【図１２】本発明の実施の形態になる扉開閉操作手段の作用を描画した説明図である。
【符号の説明】
【００４５】
１      筐体
２      前面部
３      フロントパネル部
３ａ    一側端部
３ｂ    他側端部
４      扉体
５      ヒンジ機構
５ａ    一方のヒンジレバー脚片
５ｂ    他方のヒンジレバー脚片
５ｃ    ヒンジピン
５ｄ    ヒンジベース
５ｄ−１  ガイド溝
６      扉開閉操作手段
６ａ    キープレート
６ａ−１  摺動片部
６ｂ    カム機構
６ｂ−１、６ｂ−２  カム片
６ｂ−１ａ、６ｂ−２ａ  カム面部
７      シリンダーキー装置
７ａ    キー片
【図１】
2008235671.tif 000003
【図２】
2008235671.tif 000004
【図３】
2008235671.tif 000005
【図４】
2008235671.tif 000006
【図５】
2008235671.tif 000007
【図６】
2008235671.tif 000008
【図７】
2008235671.tif 000009
【図８】
2008235671.tif 000010
【図９】
2008235671.tif 000011
【図１０】
2008235671.tif 000012
【図１１】
2008235671.tif 000013
【図１２】
2008235671.tif 000014